(57)【特許請求の範囲】
【請求項１】
携帯用機器を被装着対象に装着する際に使用される携帯用機器のホルダークリップであって、携帯用機器を保持するホルダー本体と、ホルダー本体の背面板の表側に回動自在に支持されており先端部分にはホルダー本体の背面板に形成された穴に挿入可能な凸部が形成されたクリップ片と、クリップ片の先端部分をホルダー本体の背面板に付勢接触させる第１の弾性付勢部と、ホルダー本体の背面板に回動自在に支持されており前記背面板の表側に位置する先端部分にはホルダー本体により保持された携帯用機器に係合可能な係合片が形成されている一方、前記背面板の裏側に位置する後端部分にはクリップ片の前記凸部がホルダー本体の前記穴を通じて当接可能になっているストッパー片と、ストッパー片の先端部分をホルダー本体の背面板に付勢接触させる第２の弾性付勢部とを具備しており、被装着対象がホルダー本体の背面板とクリップ片の先端部分との間に挟み込まれていない状態では、第１の弾性付勢部の付勢力によりストッパー片の後端部分がクリップ片の凸部を通じて第２の弾性付勢部の付勢力に抗して押し下げられるとともにストッパー片の先端部分が押し上げられる一方、挟み込まれた状態では、第２の弾性付勢部の付勢力によりストッパー片の後端部分が押し上げられるとともにストッパー片の先端部分が押し下げられ、前記係合片が携帯用機器に係合するようになっていることを特徴とする携帯用機器のホルダークリップ。
【請求項２】
請求項１記載の携帯用機器のホルダークリップにおいて、前記ストッパー片の先端部分には、携帯用機器の背面に形成された１又は２以上の穴に係合可能な凸部が前記係合片として形成されていることを特徴とする携帯用機器のホルダークリップ。
【請求項３】
請求項１又は２記載の携帯用機器のホルダークリップにおいて、前記ストッパー片の先端部分には、前記ホルダー本体に保持された携帯用機器の側面に引っ掛け可能な爪部が前記係合片として形成されていることを特徴とする携帯用機器のホルダークリップ。
【請求項４】
請求項１、２又は３記載の携帯用機器のホルダークリップにおいて、第１、第２の弾性付勢部としてコイルばねを用い、当該コイルばねがクリップ片の回動軸に各々取り付けられていることを特徴とする携帯用機器のホルダークリップ。
【請求項５】
請求項１、２、３又は４記載の携帯用機器のホルダークリップにおいて、ホルダー本体の背面板の裏面には、携帯用機器の背面に形成された位置決め用穴に係合可能な凸部が形成されていることを特徴とする携帯用機器のホルダークリップ。
【発明の詳細な説明】
【０００１】
【発明が属する技術分野】
本発明は歩数計、携帯型ゲーム機、オーディオプレーヤ等の携帯用機器を携帯者の衣服、ベルト、カバン等に装着する際に使用される携帯用機器のホルダークリップに関する。
【０００２】
【従来の技術】
この種の携帯用機器のホルダークリップの従来例として図７に示すようなものがある。これは、携帯用機器Ｂを保持するホルダー本体１００と、ホルダー本体１００の背面板１１０の表側に回動自在に支持されたクリップ片２００と、クリップ片２００の先端部分をホルダー本体１００の背面板１１０に付勢接触させるコイルばね３００とを備えた構造となっている。
【０００３】
即ち、携帯用機器Ｂをホルダー本体１００内にセットし、ホルダー本体１００の背面板１１０とクリップ片２００の先端部分との間に携帯者の衣服等を挟み込むようにすると、携帯用機器Ｂが携帯者の衣服等に装着される。
【０００４】
【発明が解消しようとする課題】
しかしながら、上記従来例による場合、携帯用機器Ｂがホルダー本体１００から脱落し易く、携帯用機器Ｂを破損させるおそれがある。
【０００５】
もっとも、実開昭６２−２２８１号公報及び特開平５−１２２１２７号公報に開示されているように、携帯用機器の裏面に穴を形成し、ホルダー本体の内面に形成した凸部と係合させるようにすると、携帯用機器がホルダー本体から容易に脱落することが防止される。ところが、携帯用機器の脱落防止を確実にしようとすると、携帯用機器側の穴とホルダー本体側の凸部との間の係合を強固にすることが必要であり、この影響により携帯用機器をホルダー本体にスムーズにセットしたり外したりすることが困難になり、不便になるという問題がある。
【０００６】
本発明は上記した背景の下で創作されたものであり、その目的とするところは、携帯用機器の脱落防止を確実にする一方で、携帯用機器をスムーズにホルダー本体にセットしたり外したりすることが可能になる携帯用機器のホルダークリップを提供することにある。
【０００７】
【課題を解決するための手段】
本発明に係る携帯用機器のホルダークリップは、携帯用機器を被装着対象に装着する際に使用されるものであって、携帯用機器を保持するホルダー本体と、ホルダー本体の背面板の表側に回動自在に支持されており先端部分にはホルダー本体の背面板に形成された穴に挿入可能な凸部が形成されたクリップ片と、クリップ片の先端部分をホルダー本体の背面板に付勢接触させる第１の弾性付勢部と、ホルダー本体の背面板に回動自在に支持されており前記背面板の表側に位置する先端部分にはホルダー本体により保持された携帯用機器に係合可能な係合片が形成されている一方、前記背面板の裏側に位置する後端部分にはクリップ片の前記凸部がホルダー本体の前記穴を通じて当接可能になっているストッパー片と、ストッパー片の先端部分をホルダー本体の背面板に付勢接触させる第２の弾性付勢部とを具備しており、被装着対象がホルダー本体の背面板とクリップ片の先端部分との間に挟み込まれていない状態では、第１の弾性付勢部の付勢力によりストッパー片の後端部分がクリップ片の凸部を通じて第２の弾性付勢部の付勢力に抗して押し下げられるとともにストッパー片の先端部分が押し上げられる一方、挟み込まれた状態では、第２の弾性付勢部の付勢力によりストッパー片の後端部分が押し上げられるとともにストッパー片の先端部分が押し下げられ、前記係合片が携帯用機器に係合するようになっていることを特徴としている。
【０００８】
より好ましくは、前記ストッパー片の先端部分には、携帯用機器の背面に形成された１又は２以上の穴に係合可能な凸部を前記係合片として形成することが望ましい。また、前記ストッパー片の先端部分には、ホルダー本体に保持された携帯用機器の側面に引っ掛け可能な爪部を前記係合片として形成することが望ましい。
【０００９】
より好ましくは、第１、第２の弾性付勢部としてコイルばねを用い、当該コイルばねをクリップ片の回動軸に各々取り付けるようにすることが望ましい。
【００１０】
より好ましくは、ホルダー本体の背面板の裏面には、携帯用機器の背面に形成された位置決め用穴に係合可能な凸部を形成することが望ましい。
【００１１】
【発明の実施するための最良の形態】
以下、本発明の実施の形態を図面を参照して説明する。図１は本発明の実施の形態に係る携帯用機器のホルダークリップの縦断面図、図２は同ホルダークリップの装着状態を示す縦断面図、図３は同ホルダークリップの裏面図、図４はクリップ片を取り外した状態での同ホルダークリップの裏面図、図５は、同ホルダークリップの係合片の変形例を説明するための図であって、（ａ）は縦断面図、（ｂ）はクリップ片を取り外した状態の裏面図、図６は、同ホルダークリップの係合片の別の変形例を説明するための図であって、（ａ）は縦側面図、（ｂ）はクリップ片を取り外した状態の裏面図である。
【００１２】
ここに掲げる携帯用機器のホルダークリップＡ（以下、単にホルダークリップと称する。）は、図１及び図２に示すように、歩数計、携帯型ゲーム機、オーディオプレーヤ、ＭＰ３プレーヤ、携帯電話等の携帯用機器Ｂを携帯者の衣服、ベルト、カバン等の被装着対象Ｃに装着する際に使用されるものであって、携帯用機器Ｂを保持するホルダー本体１０と、ホルダー本体１０の背面板１１の表側に回動自在に支持されたクリップ片２０と、クリップ片２０の先端部分をホルダー本体１０の背面板１１に付勢接触させるコイルばね３０（第１の弾性付勢部に相当する）と、ホルダー本体１０の背面板１１に回動自在に支持されたストッパー片４０と、ストッパー片４０の先端部分をホルダー本体１０の背面板１１に付勢接触させるコイルばね５０（第２の弾性付勢部に相当する）とを備えた構成となっている。
【００１３】
ホルダー本体１０は図３及び図４に示すような形状の樹脂成型品であって、携帯用機器Ｂの裏面の一部に接触する背面板１１と、携帯用機器Ｂの両側面及び正面の一部に接触する断面略コ字状の保持部１２とを有しており、携帯用機器Ｂをその背面から抱き抱えるような形で保持する構造となっている。
【００１４】
背面板１１の表面の上部には、図１、図２及び図４に示すようにクリップ片２０を軸支するための軸受け部１１１が形成されている。背面板１１の表面の中央部には、ストッパー片４０を通すための開口１１２が形成されている。背面板１１の表面の下部には、被装着対象Ｃを挟み込むための歯状部１１３及びクリップ片２０の先端部に形成された凸部２１が挿入可能な穴１１４が形成されている。また、背面板１１の裏面の下部には、携帯用機器Ｂの背面に形成された位置決め用穴１に係合可能な凸部１１５が形成されている。凸部１１５は、図１及び２に示すように略半球体状の突起であり、位置決め用穴１に係合する際、カチという挿入感が得られるようになっている。
【００１５】
クリップ片２０は図１、図２及び図３に示すような形状の樹脂成型品であって、ホルダー本体１０の軸受け部１１１に通された軸芯６０を中心として回動自在になっている。クリップ片２０の先端部分にはホルダー本体１０の背面板１１に形成された穴１１４に挿入可能な凸部２１が形成されている。
【００１６】
コイルばね３０は軸芯６０に取り付けられており、一方端部がクリップ片２０の後端部分の裏側に接している一方、他方端部がホルダー本体１０の背面板１１に接しており、これによりクリップ片２０の先端部分を付勢力Ｆ１でもってホルダー本体１０の背面板１１に付勢接触させるようになっている。
【００１７】
ストッパー片４０は図１、図２及び図４に示すような形状の樹脂成型品であって、ホルダー本体１０の背面板１１の開口１１２の内面に取り付けられたピン７０を中心として回動自在に支持されている。ストッパー片４０の先端部分は背面板１１の表側に位置しており、携帯用機器Ｂの背面に形成された穴２、２に係合可能な係合片４１、４１が形成されている。一方、ストッパー片４０の後端部分は背面板１１の裏側に位置しており、クリップ片２０の凸部２１がホルダー本体１０の穴１１４を通じて当接可能になっている。
【００１８】
コイルばね５０は軸芯６０に取り付けられており、一方端部がクリップ片２０の後端部分の裏側に接している一方、他方端部がストッパー片４０の先端部分に接しており、これによりストッパー片４０の先端部分をホルダー本体１０の背面板１１に付勢接触させるようになっている。これとは反対にストッパー片４０の後端部分を付勢力Ｆ２でもってクリップ片２０の凸部２１に付勢接触させるようになっている。コイルばね３０及びコイルばね５０の付勢力は、Ｆ１＞Ｆ２となっている。
【００１９】
このようにコイルばねの付勢力がＦ１＞Ｆ２となっているため、図１に示す被装着対象Ｃの非装着状態では、クリップ片２０が閉じており、凸部２１がホルダー本体１０の穴１１４に挿入されてストッパー片４０の後端部分に当接する。このときコイルばね３０の付勢力Ｆ１がストッパー片４０の後端部分に作用しているので、ストッパー片４０の先端部分がコイルばね５０の付勢力Ｆ２に抗して押し上げられた状態になる。
【００２０】
一方、図２に示す被装着対象Ｃの装着状態では、クリップ片２０が閉じており、ホルダー本体１０の歯状部１１３とストッパ片２０の先端部分との間に被装着対象Ｃが挟み込まれる。このときコイルばね３０の付勢力Ｆ１がストッパー片４０の後端部分に直接作用しないので、ストッパー片４０の先端部分がコイルばね５０の付勢力Ｆ２により押し上げられた状態となる。
【００２１】
以下、ホルダークリップＡの使用方法について説明する。
【００２２】
まず、携帯用機器Ｂをホルダー本体１０の保持部１２にセットする。このようにセットすると、図１に示すようにホルダー本体１０の凸部１１５が携帯用機器Ｂの位置決め穴１に係合し、これにより、携帯用機器Ｂがホルダー本体１０に対して位置決めされる。この際、カチッという音がすることから、携帯用機器Ｂがホルダー本体１０に確実にセットされたことが容易に判る。
【００２３】
図１に示す状態で、クリップ片２０の後端部分をコイルばね３０の付勢力Ｆ１に抗して押し下げて、クリップ片２０を開ける。すると、クリップ片２０の先端部分が押し上げられて、凸部２１がストッパー片４０の後端部分から離れる。この瞬間にストッパー片４０の先端部分がコイルばね５０により押し下げられ、図２に示すように係合片４１が携帯用機器Ｂの穴２に挿入され、係合される。
【００２４】
この状態では、クリップ片２０の先端部分とホルダー本体１０の歯状部１１３との間に隙間が生じており、この隙間に衣服等の被装着対象Ｃを入れて、手を離す。このようにすると、被装着対象Ｃがクリップ片２０の先端部分とホルダー本体１０の歯状部１１３との間に挟み込まれる。手を離してもコイルばね３０の付勢力Ｆ１はストッパー片４０に作用しないことから、図２に示す状態は維持される。よって、携帯用機器Ｂがホルダー本体１０に確実に取り付けられ、被装着対象Ｃに装着される。ホルダー本体１０から脱落する恐れがなく、これを理由として破壊させることもない。
【００２５】
このようなホルダークリップＡによる場合、被装着対象Ｃの被装着状態では、ストッパー片４０の係合片４１、４１が開いた状態で保持されるので、簡単に携帯用機器Ｂをホルダー本体１０にセットしたり、外したりすることができる。一方、被装着対象Ｃの装着状態では、背面板１１の凸部１１５が携帯用機器Ｂの位置決め用穴１に係合すると共に、ストッパー片４０の係合片４１、４１が携帯用機器Ｂの穴２、２に係合するようになっているので、携帯用機器Ｂがホルダー本体１０にしっかりと保持される。
【００２６】
ホルダー本体１０は、ここでは、図３及び図４に示すような形状であるとしたが、携帯用機器Ｂを装着できる形状であれば、他の形状に設計変更することも可能である。このように設計変更することにより、どのような形状の携帯用機器Ｂであっても装着することが可能となる。なお、本発明は、上記実施形態に限定されず、以下のように設計変更してもかまわない。
【００２７】
ホルダー本体１０は、ここでは、樹脂成型品であるとしたが、革又は布等で形成するように設計変更することも可能である。
【００２８】
ホルダー本体１０は、ここでは、背面板１１１の裏面には、携帯用機器Ｂの位置決め用穴１に係合可能な凸部１１５が形成されているとしたが、凸部１１５を有さないホルダー本体１０に設計変更することも可能である。。このように設計変更することにより、背面に位置決め用穴１が形成されていない携帯用機器Ｂであっても保持することが可能となる。
【００２９】
クリップ片２０はここでは、樹脂成型品であるとしたが、鉄又はアルミ等の金属で形成されるように、設計変更することも可能である。
【００３０】
ストッパー片４０は、ここでは、係合片４１、４１が２つ形成されているが、係合片４１を図５に示すように１つと設計変更することも可能である。このように設計変更することにより、係合片４１を１つ省略することができることから、低コスト化を図る上でメリットがある。なお、ストッパー片４１は、３以上と設計変更してもよい。
【００３１】
ストッパー片４０は、ここでは、係合片４１が携帯用機器Ｂの穴２に係合するとしたが、図６に示すように係合片４１を携帯用機器Ｂの側面に引っ掛け可能な爪部に設計変更することも可能である。このように設計変更することにより、背面に穴２が形成されていない携帯用機器Ｂであっても保持することが可能となる。
【００３２】
【発明の効果】
本発明の請求項１に係る携帯用機器のホルダークリップは、携帯用機器を被装着対象に装着する際に使用される携帯用機器のホルダークリップであって、携帯用機器を保持するホルダー本体と、ホルダー本体の背面板の表側に回動自在に支持されており先端部分にはホルダー本体の背面板に形成された穴に挿入可能な凸部が形成されたクリップ片と、クリップ片の先端部分をホルダー本体の背面板に付勢接触させる第１の弾性付勢部と、ホルダー本体の背面板に回動自在に支持されており前記背面板の表側に位置する先端部分にはホルダー本体により保持された携帯用機器に係合可能な係合片が形成されている一方、前記背面板の裏側に位置する後端部分にはクリップ片の前記凸部がホルダー本体の前記穴を通じて当接可能になっているストッパー片と、ストッパー片の先端部分をホルダー本体の背面板に付勢接触させる第２の弾性付勢部とを具備しており、被装着対象がホルダー本体の背面板とクリップ片の先端部との間に挟み込まれていない状態では、第１の弾性付勢部の付勢力によりストッパー片の後端部分がクリップ片の凸部を通じて第２の弾性付勢部の付勢力に抗して押し下げられるとともにストッパー片の先端部分が押し上げられる一方、挟み込まれた状態では、第２の弾性付勢部の付勢力によりストッパー片の後端部分が押し上げられるとともにストッパー片の先端部分が押し下げられ、前記係合片が携帯用機器に係合するようになっている。
【００３３】
よって、請求項１に係る携帯用機器のホルダークリップによる場合、被装着対象がホルダー本体の背面板とクリップ片の先端部との間に挟み込まれていない状態では、ストッパー片の係合片がホルダー本体により保持された携帯用機器に係合しないようになっているので、簡単に携帯用機器をホルダー本体にセットしたり、外したりすることができる。一方、被装着対象がホルダー本体の背面板とクリップ片の先端部との間に挟み込まれた状態では、ストッパー片の係合片がホルダー本体により保持された携帯用機器に係合するようになっているので、携帯用機器をしっかりと保持することができることから、携帯用機器がホルダー本体から脱落することがなくなり、携帯用機器を破損させるおそれもなくなる。
【００３４】
本発明の請求項２に係る携帯用機器のホルダークリップは、前記ストッパー片の先端部分には、携帯用機器の背面に形成された１又は２以上の穴に係合可能な凸部が前記係合片として形成されている。
【００３５】
よって、請求項２に係る携帯用機器のホルダークリップによる場合、凸部が携帯用機器の背面に形成された穴に係合するようになっているので、携帯用機器をしっかりと保持することができることから、携帯用機器がホルダー本体から脱落することがなくなり、携帯用機器を破損させるおそれもなくなる。
【００３６】
本発明の請求項３に係る携帯用機器のホルダークリップは、前記ストッパー片の先端部分には、前記ホルダー本体に保持された携帯用機器の側面に引っ掛け可能な爪部が前記係合片として形成されている。
【００３７】
よって、請求項３に係る携帯用機器のホルダークリップによる場合、背面に穴が形成されていない携帯用機器であっても保持することが可能となる。
【００３８】
本発明の請求項４に係る携帯用機器のホルダークリップは、第１、第２の弾性付勢部としてコイルばねを用い、当該コイルばねがクリップ片の回動軸に各々取り付けられている。
【００３９】
よって、請求項４に係る携帯用機器のホルダークリップによる場合、第１、第２の弾性付勢部としてコイルばねを用い、回動軸に取り付けるようにしているので、コイルばねを取り付ける部材を要さず、低コスト化を図る上でメリットがあり、且つコンパクトに構成することができる。
【００４０】
本発明の請求項５に係る携帯用機器のホルダークリップは、ホルダー本体の背面板の裏面には、携帯用機器の背面に形成された位置決め用穴に係合可能な凸部が形成されている。
【００４１】
よって、請求項５に係る携帯用機器のホルダークリップによる場合、ストッパー片の先端部分に形成された係合片が携帯用機器に係合し、且つホルダー本体の背面板の裏面に形成された凸部が携帯用機器の背面に形成された位置決め用穴に係合するので、携帯用機器はホルダー本体にしっかりと保持される。
【図面の簡単な説明】
【図１】本発明の実施の形態に係る携帯用機器のホルダークリップの縦側面図である。
【図２】同ホルダークリップの装着状態を示す縦側面図である。
【図３】同ホルダークリップの裏面図である。
【図４】クリップ片を取り外した状態での同ホルダークリップの裏面図である。
【図５】同ホルダークリップの係合片の設計変更を説明するための図であって、（ａ）は縦断面図、（ｂ）はクリップ片を取り外した状態の裏面図である。
【図６】同ホルダークリップの係合片の別の設計変更を説明するための図であって、（ａ）は縦断面図、（ｂ）はクリップ片を取り外した状態の裏面図である。
【図７】従来のホルダークリップの縦側面図である。
【符号の説明】
Ａ      ホルダークリップ
Ｂ      携帯用機器
Ｃ      被装着対象
１      位置決め穴
２      穴
１０    ホルダー本体
１１    背面板
１２    保持部
１１１  軸受け部
１１２  開口
１１４  穴
１１５  凸部
２０    クリップ片
２１    凸部
３０    コイルばね
４０    ストッパー片
４１    係合片
５０    コイルばね
【図１】
0003871921.tif 000002
【図２】
0003871921.tif 000003
【図３】
0003871921.tif 000004
【図４】
0003871921.tif 000005
【図５】
0003871921.tif 000006
【図６】
0003871921.tif 000007
【図７】
0003871921.tif 000008